(57)【要約】【課題】システム構築が容易で、舞台の安定性保ちつつ、仮設、解体、撤去が容易で可搬性や作業性の高いステージユニットと、ＬＥＤ広告装置を組み合わせ、プレゼンテーションをはじめとする広告等情報提供手段としてより有用なものとする。【解決手段】分割舞台部を並列的に複数並べてなる過般式舞台と、ＬＥＤ表示装置を舞台後方に備えて、舞台背面の壁を兼ねた複数の広告看板を並べて配位し、それぞれ連結したことを特徴とするオープン形式の可般式ステージユニット型ＬＥＤ広告装置において、屋外で使用することを前提に、電源供給装置と、音響機器と、インターネットへ接続する通信機器とを備え、当該広告装置をベースステーションとしてネットワークする無線ＬＡＮ等を介したインターネットに観衆の所持するＰＣを接続し、ユーザーＩＤや属性情報を取得し、広告主からの広告種別情報及びユーザー情報をもとに最適な広告を配信することを特徴とする広告装置を提供する。【選択図】          図２
2004212914.tif 000002
【特許請求の範囲】
【請求項１】
分割舞台部を並列的に複数並べてなる過般式舞台と、ＬＥＤ表示装置を舞台後方に備えて、舞台背面の壁を兼ねた複数の広告看板を該ＬＥＤと並べて配位し、それぞれ連結したことを特徴とするオープン形式の可般式ステージユニット型ＬＥＤ広告装置。
【請求項２】
屋外で使用することを前提に、電源供給装置一式と、音声出力を行う音響機器一式と、インターネットに代表されるオープンなネットワークへ接続する通信機器一式とを備えてなる請求項１の可般式ステージユニット型ＬＥＤ広告装置。
【請求項３】
請求項１または２において、無線ＬＡＮを介しステージイベントの観衆の所持するＰＣをインターネットに代表されるオープンなネットワークに接続し、ＬＥＤによる広告表示を制御するコントロールＰＣが前記各観衆のユーザーＩＤや属性情報を取得し、その属性情報に適合した広告をはじめとするコンテンツを配信するものであり、イベントの種類、広告主からの広告種別情報及びユーザー情報をもとに最適な広告を提供することを特徴とする可般式ステージユニット型ＬＥＤ広告装置。
【発明の詳細な説明】
【０００１】
【発明の属する技術分野】
本発明は、販促イベントや演劇や展示会などの各種演目に応じて、広告を行うための可般式ステージユニットに関するものである。
【０００２】
【従来の技術】
従来の広告は、企業並びに団体が不特定多数の一般市民に対し、有している情報を広く知らしめる手段として利便性が非常に高く、現代社会の商業活動において必要不可欠といえるものであり、媒体もテレビＣＭ、新聞広告、チラシ、野立看板、Ｗｅｂ広告、ダイレクト・メール等、多種多様なものがある。
【０００３】
従来、屋外広告の分野は通行人の導線や多くの人の滞留するスペースに対し広告表示する固定された看板類が一般的である。近年は、大型テレビ画面による動画や、ＬＥＤ（Ｌｉｇｈｔ  Ｅｍｉｓｓｉｏｎ  Ｄｉｏｄｅ）による文字情報なども増加している。そして、ＬＥＤのフルカラー化により太陽光の照度下でも詳細に表示される高輝度のディスプレイも広告に用いられるようになった。さらに、最近のＬＥＤディスプレイの傾向として、薄型、軽量のものが開発され、メンテナンスフリーともいえる技術であるため、屋外における表示装置として、一般的に利用される時期が必ず到来すると予想される。
【０００４】
また、常時ではなく随時広告する手法として、常設乃至特設のステージを設け反響を見ながら広告効果を確かめるプロモーション活動などの屋外イベントなどがある。広告として利用する観点と、場所の有効活用が難しいなど問題があり、イベントが終了するとステージを撤収する特設ステージが主に用いられ、常設ステージを設ける例より多い。但し、特設ステージを設けた場合、設置費用が高く、それだけのコストを回収できる商品の広告市場は少ないのが現状である。また、ステージとイベントだけでは、広告として物足りず、より映像を中心とした観客を惹きつけるコンテンツを提供することが有用である。
【０００５】
そのような状況から、特設ステージの設置コストを低く抑えつつ、動きのある映像情報を自在に提供できる広告用のステージユニットが求められる。例えば、新商品のお披露目イベントだった場合、ステージで商品説明をしつつ、詳細な商品情報や、商品の使い方のイメージ映像であったり、アップ画面であったりをディスプレイで流し、近くにいる人だけでなく、少しはなれた通行人にも興味を抱いていただく利用方法が考えられる。また、固定看板による情報提供をイベントの観衆に向けて行うと、イベントに集中しつつ、イベントの休憩時間など観衆の望むタイミングで広告を見てくれるというメリットがある。
【０００６】
当然のことながら、イベントに参加する観衆はそのイベントに共通したコンテンツに対し興味を示すという特徴があるため、イベント層ごとに広告の対象となるターゲットを絞った有効な広告を配信することができるというメリットがある。
【０００７】
【発明が解決しようとする課題】
しかしながら、固定された看板による常時表示する広告と、フルカラーＬＥＤディスプレイによるもの、特設ステージによる屋外イベントなどを組み合わせた簡易なステージユニットは従来存在しなかった。また、簡易なユニットにすることにより、ＬＥＤディスプレイを持ち帰ってメンテナンスしたり、故障時に代替機と入れ替えたりすることが可能となり、広告出稿者に対して迷惑をかけるトラブルを減少させることができる。
【０００８】
さらにイベントに広告出展してもそのまま広告主の売上や商業活動にすぐ結びつくという訳にはいかず、先ずは観衆に対し広告主が開設するホームページへ誘導することが販売の第一歩であるが、イベントに参加すると観衆の有するＰＣ等端末に自動で前期ホームページへ接続する設定をしておくことで、広告用ホームページにユーザーを誘導する率を高め、当該ホームページへアクセスさせるコストを大幅に低減できるようになる。
【０００９】
本発明の目的は、上述の点に鑑みて、システム構築が容易で、舞台の安定性保ちつつ、仮設、解体、撤去が容易で可搬性や作業性の高いステージユニットと、ＬＥＤ広告装置を組み合わせ、プレゼンテーションをはじめとする広告等情報提供手段としてより有用なものとし、収益性を高める、事業として成立させることにある。
【００１０】
【課題を解決するための手段】
上記の問題点を解決するために、分割舞台部を並列的に複数並べてなる可般式舞台と、ＬＥＤ表示装置を舞台後方に備えて、舞台背面の壁を兼ねた複数の広告看板を該ＬＥＤと並べて配位し、それぞれ連結したことを特徴とするオープン形式の可般式ステージユニット型ＬＥＤ広告装置であり、屋外で使用することを前提に、電源供給装置一式と、音声出力を行う音響機器一式と、インターネットに代表されるオープンなネットワークへ接続する通信機器一式とを備えてなる装置を提供する。
【００１１】
【発明の実施の形態】
以下、図面を参照して本実施の形態を詳細に説明する。
【００１２】
図  １は、本発明を適用した可般式ステージユニット型ＬＥＤ広告装置の一例を示す。本実施の形態は屋外に特設されるステージユニット装置であり、フルカラーＬＥＤディスプレイ１及び文字情報ＬＥＤディスプレイ２が架台であるひとつのフレーム３に、それらの間の距離と角度を定めて固定・配置してある。フレーム３は、背面の壁としての役割も担い、本実施の形態において最も重要な役割をする。また、フレーム３は、ステージユニットと組み合わせず、フルカラーＬＥＤディスプレイ１及び文字情報ＬＥＤディスプレイ２を架けた単体の状態で独立設置をすることも可能な構成とした。
【００１３】
フルカラーＬＥＤディスプレイ１及び文字情報ＬＥＤディスプレイ２は、薄型化、軽量化が進むとしても大きな重量があるため、移動させるために汎用的なウィンチ装置をフレーム３に用意する。コスト面に余裕がある場合には、該ウィンチ装置に動力が備わることが望ましい。
【００１４】
フレーム３は、正面から見て中央位置に複数の分割舞台４と共に蝶番等で連結し固定される。蝶番は、出演者の安全を考慮して、既存の確実な方法により固定するものとする。分割舞台は、それひとつでは持ち運びが可能な大きさと重量となっており、イベント内容や開催場所の状況など必要に応じて連結個数を変えることができる。分割舞台４は、過重重量に対し安全性を保つ材質と構造でなければならない。また、分割舞台４を設置する場所も平らであるとは限らないので、高さを調節するために分割舞台４の底面にはスクリュジャッキや高さ調整螺子を備える。
【００１５】
舞台正面から見て後方、フレーム３の左右両袖に、複数の広告看板５を配設する。該広告看板５は板状となっており、広告として表示するほか、舞台後方の壁として利用する。広告看板５も持ち運ぶことを想定したサイズであり、多くの広告を表示する場合には、複数を並べて配設し、掲出するものとする。該広告看板５も既存の確実な方法によりフレーム３乃至分割舞台４に固定する。広告看板５は、イベントが無いときなどにはそのまま屋外広告看板として設置しておく利用方法が考えられる。比較的安価で手間のかからない広告媒体という位置付けである。
【００１６】
屋外で使用することを前提としたイベント活動用の特設ステージユニットであるため、電源供給装置一式と、音声出力を行う音響機器一式と、インターネットに代表されるオープンなネットワークへ接続する通信機器一式を具備する。
【００１７】
電源供給装置６は、通常の家電製品が使用する一般的なタイプである。但し、イベント等で使用するアンプ、スピーカー類はたくさんの電力消費をするものであることが一般的であり、十分な容量を持つものを使用することとなる。また、屋外で使用するため、防塵、漏電、温度、対衝撃対策等が施されていることはいうまでもない。また、スキー場などで行うイベントのように外部から電源を確保できない環境では、自家発電装置や蓄電装置も具備することが考えられる。
【００１８】
フレーム３及び分割舞台４に複数のスピーカー７を配設する。該スピーカー７は取り外しが可能であり、ステージユニットを設置する場所、環境、イベントの規模及び内容に応じて、必要な数量と位置を決定する。スピーカー７も屋外で使用する対策が施されているものとする。
【００１９】
用途は昼間だけに限定するものではないため、照明設備を整えておく。また、昼間であっても各種ライトアップすることで、イベント効果は高まるので、利用することとした。
【００２０】
さらに、フレーム３及び広告看板５の土台付根部などは必要に応じて回転可能な構造にしておくことで、イベントの内容に応じて広告訴求力が増し、乃至自在に情報提供方法の変更ができ、広告効果が高まることが期待できる。
【００２１】
フルカラーＬＥＤディスプレイ１及び文字情報ＬＥＤディスプレイ２による提供情報は、スタンドアローンの制御機器を用いて表示する場合もあるが、本実施の形態では、インターネットに代表されるオープンなネットワークに接続され、ネットワークを介して遠隔にて情報配信できるものを用いている。従って、フルカラーＬＥＤディスプレイ１及び文字情報ＬＥＤディスプレイ２には、コントロールＰＣ８が接続され、該コントロールＰＣ８にはインターネットに接続するための通信機器９が接続されている。コントロールＰＣ８、通信機器９とも既存の機器であり、その役割を満たせば形式を問わず任意である。
【００２２】
本実施の形態において、インターネットに接続してフルカラーＬＥＤディスプレイ１及び文字情報ＬＥＤディスプレイ２による情報を提供する場合には、既知の無線ＬＡＮ技術を用いて、本ユニットを基地局としてブロードバンドサービスを提供することが考えられる。イベントに集まってもらう観衆に、無線ＬＡＮに接続できるノートパソコンを持参していただく、乃至貸与し、イベント情報の配信を行いつつプロモーションを手がける方法などが有用である。通信機器９による通信手段は、時宜にかなった一般的なものを用いる。当然のことながら、ユーザー持参のノートパソコンは、ＰＤＡ及びＷＥＢ接続可能な携帯電話等情報端末であってもいいことは明らかである。
【００２３】
図２の配信センター側のシステム１０において、イベントに参加し持参のノートパソコンなどにより無線ＬＡＮ等を介しブロードバンドサービスにアクセスする各観衆であるユーザー１１のＩＤ・氏名・住所などの個人情報及び各ユーザーの性別・年齢層・趣味・嗜好・職業などの属性情報を互いに関連付けて記録しておく顧客データベースサーバー１２、広告主側のＰＣ端末１３によりインターネット経由で広告関連情報（広告の概略的内容、広告を配信・告知したいと希望するユーザーの顧客属性情報など）を入力するための入力用画面をＷＷＷページとして前記ＰＣ端末１１に配信するための入力画面配信サーバー１４、複数の広告主側から前記入力用画面を介して前記入力画面配信サーバー１４が受信した広告関連情報をまとめてフルカラーＬＥＤディスプレイ１乃至文字情報ＬＥＤディスプレイ２上に掲出しつつＷＷＷページとしての選択情報画面を生成するための選択情報画面配信サーバー１５で構成される。
【００２４】
ユーザー１１の持参するノートパソコンには、本実施の形態のブロードバンドサービスに接続すると同時にイベントアクセス用のホームページＵＲＬが画面表示されるよう選択情報画面配信サーバー１５が情報配信する。各ユーザー１１はイベントアクセス用のホームページＵＲＬをブラウザで開き、アンケートなどに回答し、ユーザー１１のＩＤ・氏名・住所などの個人情報及び各ユーザーの性別・年齢層・趣味・嗜好・職業などの属性情報などを答える。これら情報はデータベースサーバー１２に記録、蓄積される。
【００２５】
選択情報画面配信サーバー１５は、前記入力画面配信サーバー１４からの広告関連情報と、データベースサーバー１２からの各ユーザー１１の属性情報とに基づいて、各ユーザー１１の趣味・嗜好などの属性に適した選択情報画面を生成し、各ユーザーに応じて異なるホームページアドレス（ＵＲＬ）を付けて蓄積する。同時に、ブロードバンドサービスに接続中の各ユーザー１１のノートパソコンへユーザー専用ＵＲＬを配信する。ユーザー１１が前記ノートパソコンによりインターネットに接続するときは、毎回、このユーザー専用ＵＲＬが画面上に表示されるように設定され、ユーザー専用ＵＲＬにアクセスすると選択情報画面配信サーバー１５が用意した各ユーザー専用のＵＲＬのホームページ画面が表示されることになる。ユーザー専用のＵＲＬのホームページ上の広告概略情報に表示されているリンクボタンをクリックすることにより、その広告概略情報を提供した広告主が管理するホームページにジャンプするようになっている。
【００２６】
本実施の形態により行う広告イベントは、商業広告のみならず、公的機関その他の公的団体が行う場合も当然想定され、選択情報画面配信サーバー１５に送信する広告関連情報は、公的団体が提供する商品・サービス・イベントなどの広告（広報情報）に関するものでもよい。
【００２７】
本実施形態では、選択情報サイトの運営と選択情報画面の編集を全てセンター側のシステムで行い、広告主側は、インターネット経由で配信されてくる入力用のブラウザ画面上で広告関連情報を入力するだけで、選択情報画面に自社の広告情報が掲載されるというアプリケーションサービスプロバイダー（ＡＳＰ）の仕組みを採用している。
【００２８】
ユーザー１１が有す情報端末では、インターネットを介した決済システムを付加すれば、商品の購買等一連の商業活動を同時に行うことも可能となる。
【００２９】
ステージイベントを行うと同時に、ユーザー１１が有す情報端末を介し各ユーザーへアンケートやリサーチを行うこととすることも可能であり、イベントとして観衆へアピールするのみにとどまらず、インタラクティブに情報を収集し以後のマーケティングに反映させることも可能となる。
【００３０】
【発明の効果】
本発明は、以上説明したような形態を一例として実施され、以下に記載されるような効果を奏する。
【００３１】
ステージユニットの見栄えをよくするとともに、仮設、解体、撤去が容易であるため、それぞれのＴＰＯに合ったイベントを行うことが可能である。また、一時的なら設置許可の下りる広告効果の高い場所があり、簡単に設置と撤去ができる利点を活かして周囲を惹きつける目立つイベントを開催することが可能となる。
【００３２】
装置の維持管理やメンテナンス性が高まり、経済的であると同時に、設置、撤去、移動に係る労力とコストを抑えることができる。
【００３３】
広告主側は、イベントに参加する観衆の層ごとに対象となるセグメントやカテゴリーなどの特徴を把握することが可能であり、ターゲットを絞ったテレマーケティング広告を配信することができ、自社の広告用ホームページにユーザーを誘導するためのコストを大幅に低減させられるようになる。
【００３４】
オペレーターを介さないため、運営コストが低く抑えられる。
【００３５】
広告主側は、選択情報サイトを運営する手間が不要になり、自社の広告用ホームページにユーザーを誘導するためのコストを大幅に低減させられるようになる。
【図面の簡単な説明】
【図１】本発明を適用した可般式ステージユニット型ＬＥＤ広告装置の一例を示す斜視図である。
【図２】本発明を適用した可般式ステージユニット型ＬＥＤ広告装置のシステム構成を示す概略図である。
【符号の説明】
１      フルカラーＬＥＤディスプレイ
２      文字情報ＬＥＤディスプレイ
３      フレーム
４      分割舞台
５      広告看板
６      電源供給装置
７      スピーカー
８      コントロールＰＣ
９      通信機器
１０    配信センター側のシステム
１１    ユーザー
１２    データベースサーバー
１３    ＰＣ端末
１４    入力画面配信サーバー
１５    選択情報画面配信サーバー
【図１】
2004212914.tif 000003
【図２】
2004212914.tif 000004